(57)【要約】【課題】  設置しようとする地面の勾配に応じてビームの角度を自在に調節することができ、製造・組立が容易で、ビームと縦さんの連結が外れにくく、保管及び搬送効率の良好な防護柵を提供する。【解決手段】  所定間隔を有して設けられた複数本の支柱と、支柱間に設けられた柵本体とからなり、柵本体は、一対の平行なビームと、ビームを結ぶ複数本の縦さんとからなり、ビームは、一対のビーム片の一部がビーム片連結手段で連結され、対向面側が開閉可能であり、ビーム片には、縦さんを連結する連結手段が設けられ、連結手段は、一対のビーム片にそれぞれ設けられた一対の差しピンからなり、差しピンは、ビーム片内壁面に複数本が所定間隔を有して設けられ、ビームを閉じたとき、相対する差しピンが合致するように配置され、ビームの連結手段近傍の対向側側面には、開口部が形成され、開口部の長手方向の穴径は、縦さんの直径よりも大きく、縦さんの両縁部近傍には、差しピンを挿入するための穴が設けられ、縦さんは、連結手段を軸として、長手方向に変位可能である。【選択図】  図１
2005076188.tif 000002
【特許請求の範囲】
【請求項１】
所定間隔を有して設けられた複数本の支柱と、該支柱間に設けられた柵本体とからなり、該柵本体は、一対の平行なビームと、該ビームを結ぶ複数本の縦さんとからなり、該ビームは、一対のビーム片の一部がビーム片連結手段で連結され、対向面側が開閉可能であり、該ビーム片には、前記縦さんを連結する連結手段が設けられ、該連結手段は、一対のビーム片にそれぞれ設けられた一対の差しピンからなり、該差しピンは、該ビーム片内壁面に複数本が所定間隔を有して設けられ、前記ビームを閉じたとき、相対する差しピンが合致するように配置され、該ビームの連結手段近傍の対向側側面には、開口部が形成され、該開口部の長手方向の穴径は、前記縦さんの直径よりも大きく、該縦さんの両縁部近傍には、前記差しピンを挿入するための穴が設けられ、該縦さんは、該連結手段を軸として、長手方向に変位可能であることを特徴とする防護柵。
【請求項２】
前記ビーム片連結手段は、ヒンジ構造であることを特徴とする請求項１記載の防護柵。
【請求項３】
前記縦さんは、前記一対のビームを含む面上を変位可能であることを特徴とする請求項１又は２に記載の防護柵。
【請求項４】
前記ビームの一方又は両方の縁部には、該ビーム片を固定するビーム片固定部が設けられていることを特徴とする請求項１〜３のいずれかに記載の防護柵。
【請求項５】
前記開口部を塞ぐ、シール部材を取り付けたことを特徴とする請求項１〜４のいずれかに記載の防護柵。
【発明の詳細な説明】
【技術分野】
【０００１】
本発明は、車道と歩道の境界、川・水路の転落防止を目的として設置される防護柵に関するものであって、特に、設置箇所の勾配に合わせて任意に柵本体の角度を調節することができる防護柵に関するものである。
【背景技術】
【０００２】
車道と歩道の境界や、川・水路の転落防止を目的として防護柵が設置されるのは周知のとおりである。この防護柵には、様々な形状のものが開発されているが、一対のビームを平行に配置し、ビーム間に複数本の縦さんをビームと縦さんを垂直に配置し、それぞれを溶接して固定した防護柵が一般的である。
【０００３】
防護柵を設置するときは、地面に支柱を設け、柵本体と支柱を連結固定するのが一般的である。このとき、地面とビームを平行にして設置する。勾配を有する地面の場合も、地面とビームを平行にして設置するが、縦さんは水平な地面と直交するように設けられる。そこで従来は、地面の勾配を測量し、その勾配に応じた防護柵を個別に製作していたため、平坦部の標準品に比べて納入までに時間を要するという問題を有していた。
【０００４】
この問題を解決するために、ビームと縦さんの交差角度を調節することができる防護柵が開発されるようになった。実開平７−２９００８号は、ビーム側面に穴を形成し、縦さんの端部に弾性材料からなる連結部材を設け、穴に連結部材を差し込んで係合する防護柵についての考案である。
【０００５】
また、特開平８−１４４２３１号は、ビームに奥広の穴を形成し、縦さんの端部に球状接続部を設け、穴に球状接続部を差し込んで連結する防護柵についての発明である。
【特許文献１】実開平７−２９００８号
【特許文献２】特開平８−１４４２３１号
【発明の開示】
【発明が解決しようとする課題】
【０００６】
ところで、上記したいずれの防護柵も、ビームの穴に連結部を嵌め込み、ビームと縦さん固定している。しかし、縦さんに強い力が働いたときに外れてしまい、防護柵として機能しないといった問題も有する。
【０００７】
特に、実開平７−２９００８号に記載の防護柵は、弾性を有する連結部材を使用しているため、連結部材が簡単に外れてしまったり、連結部材が破損して縦さんが外れてしまうという問題を有している。
【０００８】
また、勾配を有する地面に設置するとき、連結部材の弾性を利用してビームと縦さんを勾配に応じた角度にするため、連結部材に負荷がかかり続け、破損しやすいという問題を有していた。
【０００９】
また、縦さんは各種金属を使用しているのに対して、連結部材は他の材料を使用しているため、製造コストがかかってしまうという問題を有している。更に、連結部材を縦さんに嵌め込む作業も必要なため、製造が容易でないという問題も有していた。
【００１０】
また、特開平８−１４４２３１号に記載の防護柵は、ビーム側面に球状接続部と合致する奥広の穴を形成する必要があり、製造が困難であるという問題がある。また、奥広の穴の入り口が小さすぎると、球状接続部が穴から抜けにくくなるが、穴に挿入しにくいため、穴の入り口が変形してしまうおそれがある。逆に、奥広の穴の入り口が大きすぎると、球状接続部を穴に挿入しやすくなるが、簡単に外れてしまうというおそれがあり、球状接続部の大きさと穴の大きさの調節が難しいという問題を有していた。
【００１１】
以上のことから、設置しようとする地面の勾配に応じてビームの角度を自在に調節することができ、製造及び組立が容易で、ビームと縦さんの連結が外れにくく、保管及び搬送効率の良好な防護柵の開発が望まれていた。
【課題を解決するための手段】
【００１２】
上記課題を解決するため本発明に係る防護柵は、所定間隔を有して設けられた複数本の支柱と、支柱間に設けられた柵本体とからなり、柵本体は、一対の平行なビームと、ビームを結ぶ複数本の縦さんとからなり、ビームは、二つ割り構造で一対のビーム片の一部がビーム片連結手段で連結され、対向面側が開閉可能であり、ビーム片には、縦さんを連結する連結手段が設けられ、連結手段は、一対のビーム片にそれぞれ設けられた一対の差しピンからなり、差しピンは、ビーム片内壁面に複数本が所定間隔を有して設けられ、ビームを閉じたとき、相対する差しピンが合致するように配置され、ビームの連結手段近傍の対向側側面には、開口部が形成され、開口部の長手方向の穴径は、縦さんの直径よりも大きく、縦さんの両縁部近傍には、差しピンを挿入するための穴が設けられ、縦さんは、連結手段を軸として、長手方向に変位（移動）可能であることを特徴とする。
【００１３】
また、ビーム片連結手段は、ヒンジ構造であっても良い。
【００１４】
また、縦さんは、一対のビームを含む面上を変位（移動）可能であることを特徴とする。
【００１５】
また、ビームの一方又は両方の縁部には、ビーム片を固定するビーム片固定部が設けられていても良い。
【００１６】
また、開口部を塞ぐ、シール部材を取り付けても良い。
【発明の効果】
【００１７】
本発明に係る防護柵は、ビーム内に設けられた一対の差しピンを、縦さんに設けられた穴に挿入してビームと縦さんを連結しているため、連結作業が容易で、連結が外れにくく、非常に利便性が高い。
【００１８】
また、差しピンを軸として縦さんが変位（移動）可能であるため、設置しようとする地面が傾斜を有していてもビームの角度を調節して地面に平行にすることができ、汎用性も有する。
【００１９】
また、ビームと縦さんは連結手段によって連結され、ビームは一対のビーム片を連結してボルト・ナットで固定しているため、防護柵の組立及び解体が容易である。
【発明を実施するための最良の形態】
【００２０】
本発明に係る防護柵２について、図を参照にしながら説明する。図１は、本発明に係る防護柵２を示した説明図であり、図２は、柵本体４を示した部分拡大図である。なお、これらの図は、本発明を説明するためのものであり、本発明を何ら限定するものではない。
【００２１】
本発明に係る防護柵２は、所定間隔を有して設けられた複数本の支柱２４と、支柱２４間に設けられた柵本体４とからなり、柵本体４は、一対の平行なビーム６と、ビーム６を結ぶ複数本の縦さん２０とからなる。
【００２２】
図３及び図４は、本発明に係るビーム６を示した説明図であり、図５及び図６は、本発明に係るビーム片８を示した説明図である。本発明に係るビーム６は、一対のビーム片８を組み合わせてなり、ビーム片８同士の一部をビーム片連結手段１０で連結し、対向面側が開閉可能となっている。ビーム６の形状としては、真円の円柱が好ましいが、楕円の円柱でも角柱でも良く、適宜設定すれば良い。また、ビーム片８はビーム６を左右対称に半割にした半筒状体が好ましい。また、ビーム片連結手段１０は、ヒンジ構造が好ましいが、ヒンジ構造以外にもビーム片８同士の一部を連結し、ビーム６の対向面側が開閉可能であれば、どのような手段、構造であっても良い。
【００２３】
図２の中では、上ビーム６ａと下ビーム６ｂとが別々に記載されているが、これは説明の便宜上のために区別しただけであり、必ずしも上ビーム６ａと下ビーム６ｂを別々に製造する必要はない。例えば、どちらか一方のビーム６を製造し、反転させれば相対するビーム６として使用することができる。
【００２４】
また、ビーム６の一部に、水抜穴を設けても良い。水抜穴を設けることにより、何らかの原因でビーム内に貯まった水を排出し、ビーム６の腐食防止、製品の寿命を長く保つことができる。特に、下ビーム６ｂとなるビーム６に水抜穴を穿設することにより、下ビーム６ｂ内に雨水が貯まることを防ぐことができる。この穴の大きさ、設置数、設置箇所などは適宜設定すれば良い。
【００２５】
ビーム６の材料としては、鉄、ステンレス、アルミニウムなどの各種金属を使用するのが好ましいが、適宜設定すれば良い。腐食しやすい材料を使用した場合は、外表面に腐食防止処理を施すのが好ましい。また、ビーム６内壁面にも腐食防止処理をしても良い。
【００２６】
また、ビーム６の縁部には、ビーム片８の連結状態を固定保持するビーム片固定部１６が設けられていても良い。ビーム片固定部１６としては、ビーム片８の縁部に固定片を設け、固定片同士を重ね合わせて、ボルトナットで締結して固定する方法が良い。その他にも、固定片同士を溶接しても良く、ビーム片８の連結状態を固定保持することができれば、どのような方法、手段でも使用することができる。ビーム片固定部１６は、ビーム６の両縁部に設けられているのが好ましいが、どちらか一方のみ設けられていても良い。また、ビーム６両縁部には、キャップを設けても良い。
【００２７】
図８は、ビーム６と縦さん２０の連結状態を示した説明図である。本発明に係るビーム片８には、ビーム６と縦さん２０を連結する連結手段１２が設けられおり、連結手段１２は、一対のビーム片８にそれぞれ設けられた一対の差しピン１４からなる。差しピン１４は、ビーム片８内壁面に複数本が所定間隔を有して設けられ、ビーム６を閉じたとき、相対する差しピン１４が合致するように配置されている。ここで、合致するとは、差しピン１４の先端が当接する場合だけではなく、差しピン１４の先端にある程度の隙間がある場合も含む。
【００２８】
差しピン１４は、真円の円柱状が良い。直径、長さなどは、適宜設定すれば良い。また、差しピン１４の設置数、設置間隔などの条件も、縦さん２０の設置数などを考慮して適宜設定すれば良い。差しピン１４は、図４に示されているように、ビーム片８内側面の中心に設けられ、ビーム片８内側面と垂直に設けられるのが良い。
【００２９】
また、この連結手段１２近傍の対向側側面には、開口部１８が形成されている。この開口部１８は、ビーム６と縦さん２０を連結するときに、縦さん２０を嵌め込むための穴２２である。この穴２２は、縦さん２０の長手方向の穴径が、縦さん２０の直径よりも大きく形成され、略楕円形状に形成されている。長手方向の穴径の長さは縦さん２０の可動範囲となるため、穴２２の大きさについては、種々の条件を考慮して設定すれば良い。縦さん２０の直径と開口部１８の大きさを適度に調節すれば、縦さん２０がぐらつかず、縦さん２０が一対のビームを含む面上を変位（移動）させることができる。
【００３０】
また、ビーム６と縦さん２０を連結した後、開口部１８を塞ぐシール部材を取り付けても良い。シール部材は、縦さん２０の周囲に巻き付けるものでも良いし、シートの一方の面に粘着剤が設けられたものでも良いが、雨水などが開口部１８からビーム６内に入るのを防げることができれば、その材料、形状などについては特に限定しない。また、シール部材以外にも、開口部１８を樹脂などで充填しても良い。これにより、開口部１８を塞ぐと共に、ビーム６と縦さん２０とを強固に固定することができる。
【００３１】
図７は本発明に係る縦さん２０を示した説明図である。この縦さん２０は、一般的に広く使用されているものを使用することができ、材料、形状などは適宜設定して使用すればよい。この縦さん２０の両縁部近傍には、差しピン１４を挿入するための穴２２が設けられている。
【００３２】
ビーム６と縦さん２０は、差しピン１４を穴２２に挿入して連結されるため、差しピン１４を軸として、縦さん２０が変位（移動）可能である。縦さんを２０を固定すると、差しピン１４を軸としてビーム６が変位（移動）可能である。図９は、ビーム６と縦さん２０が直交している状態の柵本体４と、ビーム６の角度を調節した状態の柵本体４を示した説明図で、図１０はその拡大部分分解図である。図９に示されたように、ビーム６と縦さん２０が直交している柵本体４の両端の縦さん２０を互いに反対向きに移動させると、ビーム６が傾く。よって、ビーム６と縦さん２０の交差する角度を任意に調節でき、傾斜を有する地面に対しても常にビーム６を傾斜と平行させることができる。
【００３３】
図９に示されたように、柵本体４のビーム６の角度を調節すると、柵本体４の横幅は、ビーム６と縦さん２０が直交している時よりも、若干短くなる。しかし、短くなる量が少ないため特に問題はない。支柱２４間に柵本体４を設置するときは、ガセット２６を設けるため、柵本体４の横幅が極端に短くなりすぎても、ガセット２６の長さなどを調節すれば良く、防護柵２の機能や特徴などに関しては何ら問題はない。
【００３４】
この柵本体４は、ビーム６と縦さん２０を連結手段１２によって連結しているため、柵本体４の組立及び分解が容易である。例えば、どちらかのビーム６だけが破損したり、縦さん２０の一本だけが破損したとしても、柵本体４を分解して、代わりのビーム６や縦さん２０に取り替えることが簡単にできる。
【００３５】
以上が、本発明に係る防護柵２についての説明であるが、本発明の目的を逸脱しない限り、種々の条件、設定などは変更が可能である。
【００３６】
次に、本発明に係る防護柵２の組立及び設置方法について説明する。まず柵本体４を組み立てるために、ビーム６を組み立てる。内壁面に複数の差しピン１４が固定されたビーム片８を対向させ、開口部１８が設けられていない側の内壁面をビーム片連結手段１０で連結する。ビーム片連結手段１０は、複数個を適当な間隔を空けて設置すればよい。
【００３７】
次に、ビーム６の開口部１８側を開け、縦さん２０を挿入し、全ての差しピン１４を縦さん２０の穴２２に挿入し、ビーム６の開口部１８側を閉じる。上下のビーム６と縦さんも連結した後、ビーム６端部に設けられたビーム片固定部１６をボルト・ナットで固定する。この後、ビーム６端部にキャップを設けても良い。また、開口部１８にできた縦さん２０との隙間にシール部材を設けても良いし、もしくは、開口部１８に樹脂などを充填して塞いでも良い。
【００３８】
次に、防護柵２を設置する場所に、所定間隔を空けて支柱２４を設置し、支柱２４間に柵本体４を取り付ける。このとき、支柱２４と最も近い縦さん２０をガセット２６で連結し、固定する。
【００３９】
地面が傾斜を有している場合は、図９に示されているように、縦さん２０を上下に移動させて、ビーム６を地面の傾斜と平行になるように調節する。ビーム６と地面が平行になった状態で、支柱２４と柵本体４を連結固定する。
【産業上の利用可能性】
【００４０】
本発明に係る防護柵は、ビームと縦さんを連結手段で連結しているため、柵本体の組立及び解体が容易であり、また、保管効率、搬送効率が優れている。よって、土砂崩れ、河川の氾濫、道路の欠落といった災害により、一時的に防護柵を設置し、復旧作業後は防護柵を取り外したいいった緊急の場合に、本発明に係る防護柵は最適である。
【図面の簡単な説明】
【００４１】
【図１】本発明に係る防護柵を示した説明図である。
【図２】本発明に係る柵本体を示した部分拡大図である。
【図３】本発明に係るビームを示した説明図である。
【図４】本発明に係るビームを示した側面図である。
【図５】本発明に係るビーム片を示した説明図である。
【図６】本発明に係るビーム片を示した側面図である。
【図７】本発明に係る縦さんを示した説明図である。
【図８】本発明に係るビーム及び縦さんの連結状態を示した説明図である。
【図９】本発明に係る柵本体の一使用例を示した説明図である。
【図１０】本発明に係る柵本体の一使用例を示した部分分解拡大図である。
【符号の説明】
【００４２】
２    防護柵
４    柵本体
６    ビーム
６ａ  上ビーム
６ｂ  下ビーム
８    ビーム片
１０  ビーム片連結手段
１２  連結手段
１４  差しピン
１６  ビーム片固定部
１８  開口部
２０  縦さん
２２  穴
２４  支柱
２６  ガセット
【図１】
2005076188.tif 000003
【図２】
2005076188.tif 000004
【図３】
2005076188.tif 000005
【図４】
2005076188.tif 000006
【図５】
2005076188.tif 000007
【図６】
2005076188.tif 000008
【図７】
2005076188.tif 000009
【図８】
2005076188.tif 000010
【図９】
2005076188.tif 000011
【図１０】
2005076188.tif 000012